(57)【要約】【課題】線状装飾の素材を選択し、また、線状装飾の形状を特徴的なものとすることによって、印象的な線状装飾の形成を図る。【解決手段】布５０に、単数目又は複数目の連続する直線縫目５５ａ・５５ａを、毛糸５４を跨ぐ一目の斜め縫目５５ｂを介して左右に交互につき合わせて配置して成るステッチを施すことによって、布５０に毛糸５４を留め付け、線状装飾６０を形成する。前記斜め縫目５５ｂは、線状装飾６０の形成方向と略直交する方向に対して傾きを有する。ステッチは、毛糸５４を縫い位置の直ぐ手前に供給するガイド部材５３を備えたミシン５６にて行うことができる。【選択図】図４
2006274471.tif 000002
【特許請求の範囲】
【請求項１】
布に糸で施されたステッチにて、該布に毛糸が留め付けられて成ることを特徴とする線状装飾。
【請求項２】
前記ステッチが、単数目又は複数目の連続する直線縫目を、毛糸を跨ぐ一目の斜め縫目を介して左右に交互につき合わせて配置して成る、
請求項１に記載の線状装飾。
【請求項３】
前記斜め縫目が、線状装飾の形成方向と略直交する方向に対して傾きを有する、
請求項２に記載の線状装飾。
【請求項４】
前記線状装飾を、布に線状装飾の形成方向に沿って縫合した帯状布の上に形成して成る、
請求項１乃至請求項３のいずれかに記載の線状装飾。
【請求項５】
布に糸でステッチを施すことにて毛糸を布に留め付けることを特徴とする線状装飾形成方法。
【請求項６】
前記ステッチが、単数目又は複数目の連続する直線縫目を、毛糸を跨ぐ一目の斜め縫目を介して左右に交互につき合わせて配置して成る、
請求項５に記載の線状装飾形成方法。
【請求項７】
前記斜め縫目が、線状装飾の形成方向と略直交する方向に対して傾きを有する、
請求項６に記載の線状装飾形成方法。
【請求項８】
前記線状装飾を、布に線状装飾の形成方向に沿って縫合した帯状布の上に形成して成る、
請求項５乃至請求項７のいずれかに記載の線状装飾形成方法。
【請求項９】
単数目又は複数目の連続する直線縫目を、一目の斜め縫目を介して左右に交互につき合わせて配置して成るステッチを、少なくとも実施可能なミシンに、
線状の装飾材を縫い位置の直ぐ手前まで誘導するためのガイド部材を備えたことを特徴とする線状装飾形成装置。
【請求項１０】
前記ガイド部材を、一側端がミシンの縫い位置の直ぐ手前に開口した、装飾材を導通可能な長尺筒状部材とする、
請求項９に記載の線状装飾形成装置。
【発明の詳細な説明】
【技術分野】
【０００１】
本発明は、布などに施した線状装飾、該線状装飾を布に形成する方法、及び、線状装飾を布に形成するための装置の構造に関する。
【背景技術】
【０００２】
従来、立体的な線状装飾を衣服等を構成する布に形成する技術が知られている。例えば、リボンテープ等の帯状装飾材やコードテープ等の紐状装飾材を、布に縫着又は接着して、線状装飾を形成するものである。
上記のような線状装飾において装飾材を縫着してなるものは、装飾材の上を直線縫い又はジグザグ縫いして、装飾材上を縫目が通り、装飾材を押さえつけるように布に縫いつけることにて、布に装飾材を固定するものが一般的に見受けられる。
【０００３】
布に施された立体的な線状装飾は、布の構成糸の色を変化させたり、布に塗料にて画いたりして形成される模様と比較して、装飾材の素材感をより強調することができ、地の布と比較して突出する装飾材に看る者の注意を惹き付けることができ、より印象的な意匠を形成することができる。
【０００４】
例えば、特許文献１では、衣服の生地表面に立体的な帯状装飾を形成する技術が公開されている。この技術では、衣服の生地表面にニットの三本針刺繍飾り縫いミシンによりリボンテープを縫着して帯状装飾を施すとともに、帯状装飾の左右両側縁に沿って生地を利用して外表面側に膨らむピンタックを本縫いミシンにより縫着して、立体的な帯状装飾を形成している。これにより、帯状装飾の側縁に沿って形成されたピンタックにより、帯状装飾を看る者により立体的に感じさせる効果を得ることが図られている。
【特許文献１】特開２００１−２４８００７号公報
【発明の開示】
【発明が解決しようとする課題】
【０００５】
上述の特許文献１に記載の技術のように、線状装飾となる装飾材のステッチや、線状装飾の側縁の形状を特徴的なものとすることによって、印象的な線状装飾とすることができる。線状装飾という概念に含まれる装飾は従前多く存在するが、その中でも個性的な装飾は意匠性を高め、その装飾が施された製品を看る者に新鮮な印象を与え得る。そこで、本発明では、線状装飾の質感や形状を特徴的なものとすることによって、新規で印象的な線状装飾を、簡易に形成することを図る。
【課題を解決するための手段】
【０００６】
本発明の解決しようとする課題は以上の如くであり、次にこの課題を解決するための手段を説明する。
【０００７】
即ち、請求項１においては、布に糸で施されたステッチにて、該布に毛糸が留め付けられて成る線状装飾である。
【０００８】
請求項２においては、前記ステッチが、単数目又は複数目の連続する直線縫目を、毛糸を跨ぐ一目の斜め縫目を介して左右に交互につき合わせて配置して成るものである。
【０００９】
請求項３においては、前記斜め縫目が、線状装飾の形成方向と略直交する方向に対して傾きを有するものである。
【００１０】
請求項４においては、前記線状装飾を、布に線状装飾の形成方向に沿って縫合した帯状布の上に形成して成るものである。
【００１１】
請求項５においては、布に糸でステッチを施すことにて毛糸を布に留め付ける線状装飾形成方法である。
【００１２】
請求項６においては、前記ステッチが、単数目又は複数目の連続する直線縫目を、毛糸を跨ぐ一目の斜め縫目を介して左右に交互につき合わせて配置して成るものである。
【００１３】
請求項７においては、前記斜め縫目が、線状装飾の形成方向と略直交する方向に対して傾きを有するものである。
【００１４】
請求項８においては、前記線状装飾を、布に線状装飾の形成方向に沿って縫合した帯状布の上に形成して成るものである。
【００１５】
請求項９においては、単数目又は複数目の連続する直線縫目を、一目の斜め縫目を介して左右に交互につき合わせて配置して成るステッチを、少なくとも実施可能なミシンに、線状の装飾材を縫い位置の直ぐ手前まで誘導するためのガイド部材を備えた線状装飾形成装置である。
【００１６】
請求項１０においては、前記ガイド部材を、一側端がミシンの縫い位置の直ぐ手前に開口した、装飾材を導通可能な長尺筒状部材とするものである。
【発明の効果】
【００１７】
本発明の効果として、以下に示すような効果を奏する。
【００１８】
請求項１においては、布に立体的な線状装飾を形成することができる。毛糸は、布にて縫いつけられるのではなく、留め付けられるので、毛糸のふわふわした質感がある装飾となる。
【００１９】
請求項２においては、略等間隔に、且つ、間隔を置いて毛糸が布に留め付けられるので、毛糸は押し付けられた平面的な装飾と成ることなく、布の表面に毛糸が突出し、且つ、毛糸のふわふわした質感がある装飾となる。
【００２０】
請求項３においては、毛糸は細かい波状に表れることとなる。これにより、線状装飾にてルースでラフな感じを表現することができる。
【００２１】
請求項４においては、布と帯状布と線状装飾の色彩や質感や形状の変化による装飾を形成することができ、線状装飾のアレンジを楽しむことができる。
【００２２】
請求項５においては、布に立体的な線状装飾を形成することができる。毛糸は、布にて縫いつけられるのではなく、留め付けられるので、毛糸のふわふわした質感がある装飾となる。
【００２３】
請求項６においては、略等間隔に、且つ、間隔を置いて毛糸が布に留め付けられるので、毛糸は押し付けられた平面的な装飾と成ることなく、布の表面に毛糸が突出し、且つ、毛糸のふわふわした質感がある装飾となる。
【００２４】
請求項７においては、毛糸は細かい波状に表れることとなる。これにより、線状装飾にてルースでラフな感じを表現することができる。
【００２５】
請求項８においては、布と帯状布と線状装飾の色彩や質感や形状の変化による装飾を形成することができ、線状装飾のアレンジを楽しむことができる。
【００２６】
請求項９においては、布にステッチを縫い進めながら、毛糸をステッチにて留め付けることができ、装飾を工業的に形成することが可能となる。また、毛糸を指で押さえて作業をする必要が無く、毛糸と糸やミシンの構成要素との絡みを防止することができる。
【００２７】
請求項１０においては、毛糸を指で押さえて矯正せずとも斜め縫目の間に毛糸を収めることができ、毛糸と糸やミシンの構成要素との絡みを防止することができる。
【発明を実施するための最良の形態】
【００２８】
次に、発明の実施の形態を説明する。
図１は本発明に係る装飾を施したシャツを示す図、図２はシャツの袖の付け根部分の拡大図、図３は布に形成した本発明に係る装飾を示す平面図、図４は布に形成した本発明に係る装飾を示す斜視図である。
図５は本発明に係る装飾を布に形成するためのミシンの一例を示す正面図、図６はミシンの斜視図、図７は別形態のミシンの斜視図、図８はミシンの縫い位置近傍の側面図、図９はミシンの縫い位置近傍の平面図である。
図１０は布に形成した本発明に係る装飾の別形態を示す図である。
【００２９】
図１は、本発明に係る線状装飾を施した布で成るシャツ１０を示している。シャツ１０には、身頃１１と袖１２とに直線状に線状装飾６０が施されて、シャツ１０の意匠性を高めている。
また、図２は前記シャツ１０の袖１２の付け根部分を拡大したものである。図２で示されるように、シャツ１０において、袖１２は身頃１１に縫合したものであるが、身頃１１と袖１２とに亘って途切れることなく連続する線状装飾６０が形成されている。
なお、図１に示すシャツ１０では、線状装飾６０にて布５０に直線を画くように形成されているが、曲線を画くように形成することもでき、線状装飾６０にて自在に線状の装飾を形成することができる。
【００３０】
図２乃至図４に示すように、上記線状装飾６０は、衣服や服飾雑貨等を構成する布５０に、糸５５にて留め付けられた装飾材としての毛糸５４にて形成される。
【００３１】
線状装飾６０において毛糸５４は小刻みに略等間隔で波うつ波線状である。
従って、本実施例に係るシャツ１０のように線状装飾６０は遠目に見て略直線を形成していても、毛糸５４は高周波数の波線状であるので、きちんと整えられた直線とはならず、線状装飾６０を施した布から成る製品にルースでラフな印象を与えることができる。
【００３２】
また、線状装飾６０において毛糸５４は、少なくともその一部が、線状装飾６０が施された布５０の表面より突出している。
これにより、布５０の表面に凹凸が形成され、布５０と毛糸５４との色彩の変化だけでなく、布５０の表面形状の変化により、立体的な装飾が形成されることとなる。
【００３３】
さらに、線状装飾６０では、装飾材が毛糸５４であることを特徴としている。
毛糸で編まれたセーターなどの衣服に形成された毛糸で成る装飾とは異なり、本実施例のように、薄手ニット地や職布地からなる衣服や服飾雑貨等に形成された毛糸５４で成る装飾は、布５０の素材と装飾材の素材との異素材のギャップにて意匠性を高め、看る物を惹き付けることが期待される。また、毛糸５４には秋冬物というイメージがあるが、シャツなど春夏物の衣服に形成された毛糸５４で成る装飾は、季節感のギャップにて意匠性を高め、看る物を惹き付けることが期待される。
【００３４】
前記毛糸５４は、糸５５で布５０に施されたステッチに組み込まれた状態に、布５０に留め付けられる。
【００３５】
糸５５で布５０に形成されたステッチは、単数又は複数の連続する直線縫目５５ａ・５５ａが線状装飾６０の形成方向に沿って左右交互に配置され、左右に振り分けられた直線縫目間を一目分の斜め縫目５５ｂにて連結されている。つまり、ステッチは、単数又は複数の連続する直線縫目５５ａ・５５ａを左右交互につき合わせた（対峙させた）、いわゆる、つき合わせ縫いである。
そして、直線縫目５５ａは毛糸５４の側部に配置され、斜め縫目５５ｂは、毛糸５４を跨いでいる。この、毛糸５４を跨ぐ斜め縫目５５ｂにて、毛糸５４が布５０に留め付けられる。
【００３６】
なお、毛糸５４を布５０に留め付ける糸５５のステッチは、ジグザグ縫いや直線縫いではない。従って、糸５５が毛糸５４を突き抜かず、また、糸５５が毛糸５４を平たく押さえつけないので、毛糸５４のふんわり感や立体感が維持され、毛糸５４の質感が保持される。
【００３７】
上述の斜め縫目５５ｂは、毛糸５４上に略一定間隔で配置され、且つ、線状装飾６０の形成方向と略直交する方向に対して傾きを持っている。斜め縫目５５ｂの傾きは、は交互に一側下がりと一側上がりとが交互に表れる。
そして、毛糸５４は、線状装飾６０の形成方向と略直交する方向に対して傾いた斜め縫目５５ｂと略直交するように、糸５５の斜め縫目５５ｂにて布５０に留められる。斜め縫目５５ｂの傾きは、交互に傾き方向が異なるので、毛糸５４は、線状装飾６０の形成方向中心に対して、斜め縫目５５ｂを介して左右交互に膨らむことになり、これにより、布５０に留め付けられた毛糸５４は波線状となる。
【００３８】
なお、本実施例において、直線縫目５５ａは、二目連続するものであるが、毛糸５４の太さに応じて、見映えする波線を形成できるように、直線縫目５５ａの目数を増減させることが好ましい。すなわち、毛糸５４が細いものであれば、連続する直線縫目５５ａの目数は少ない方が好ましく、毛糸５４が太いものであれば、連続する直線縫目５５ａの目数は多い方が好ましい。
【００３９】
また、上記ステッチの糸５５の調子は、上糸５５ｕ及び下糸５５ｄともに弱めで、上糸５５ｕが下糸５５ｄに比較して強い。
このため、布５０の表５０ａに縫いつけられた断面楕円状の毛糸５４により、布５０の裏５０ｂ側には毛糸５４の一部が突出して立体的な線状の装飾が形成され、また、布５０の裏５０ｂ側には線状の膨らみが形成され、毛糸５４を縫いつけた布５０の周囲には、皺が生じる。
この布５０に形成される皺も意匠を形成する一部となり、線状装飾６０が形成された布５０にて成る衣服等のルース感をさらに高めることができる。
【００４０】
続いて、本発明に係る線状装飾６０の形成方法について説明する。
【００４１】
線状装飾６０は、布５０にミシン５６にてステッチを施すと同時に、このステッチを構成する糸５５にて毛糸５４を布５０に留め付けることにて、形成される。
図５及び図６に示すように、線状装飾形成装置としてのミシン５６は、市販されている一般的なミシンに、ガイド部材５３を取り付けたものである。なお、本実施例において布５０はニット地であるので、押さえ５１には、ウォーキングフットが採用されている。
【００４２】
前記ガイド部材５３は、筒状の長尺部材であり、毛糸５４を導通させて該毛糸５４を針５２による縫い位置の近傍まで誘導するためのものである。前記ガイド部材５３の一側端部はミシン５６の針５２の近傍であって、針５２による縫い位置の直ぐ手前に開口するように設けられている。
【００４３】
図６に示す本実施例では、ガイド部材５３は、その一側端部がミシン５６の針５２の近傍に位置し、ここからガイド部材５３はミシン５６の表面形状に沿って上方に延設され、さらにミシン５６の表面形状に沿ってミシン５６の裏側に至っている。そして、ミシン５６の後方に毛糸玉５４ａを配置して、該毛糸玉５４ａから引き出した毛糸５４を、ガイド部材５３に導通させて、縫い位置の近傍まで誘導している。
【００４４】
但し、ガイド部材５３は、その一側端部がミシン５６の針５２の近傍であって、針５２による縫い位置の直ぐ手前に開口していれば、毛糸５４を誘導するという機能を果たすことができ、ガイド部材５３の全体的な形状や、大きさ、素材等には限定されない。
【００４５】
従って、例えば、図７に示すように、ミシン５６の側面に箱体５７を設け、該箱体５７に毛糸玉５４ａを保持させ、該毛糸玉５４ａから毛糸５４を引き出した毛糸５４を、ガイド部材５３に導通させて、針５２の近傍に導くように、ミシン５６を構成することもできる。
また、ガイド部材５３をミシン５６の前面のみに設けて、毛糸玉５４ａをミシン５６の上方に吊した状態に保持させることもできる。
【００４６】
そして、図８及び図９に示すように、ガイド部材５３の開口端は針５２の近傍且つ縫い位置の直ぐ手前に配置される。ガイド部材５３にて毛糸５４は、縫い位置の直前まで他との干渉を避けて導かれるので、毛糸５４は、自身で絡むことなく、また、糸５５やミシン５６の他の構成要素と絡むことが防止される。そして、縫い位置直前まで導かれるので、毛糸５４を作業者の指で押さえて矯正せずとも、ミシン５６を用いて糸５５で布５０を縫うことにより形成されたステッチの、直線縫目５５ａと干渉せず、且つ、斜め縫目５５ｂの間に収まるように、毛糸５４が供給される。このように、ガイド部材５３をミシン５６に設けることによって、針５２が毛糸５４を踏まないように縫い進めることが容易となる。
【００４７】
ミシン５６において、糸５５の調子は、上糸５５ｕ及び下糸５５ｄともに緩めで、上糸５５ｕに対して下糸５５ｄが緩くなるように、調整される。前述の通り、毛糸５４に立体感を残した状態で、布５０に留め付けるためである。
【００４８】
そして、ミシン５６において、毛糸５４の一側において二目直線縫いするステップと、毛糸５４を跨いで毛糸５４の他側に移動しながら一目斜め縫いするステップと、毛糸５４の他側において二目直線縫いするステップと、毛糸５４を跨いで毛糸５４の一側に移動しながら一目斜め縫いするステップの、各ステップを繰り返して、線状装飾６０の形成方向に沿って縫い進め、線状装飾６０を形成する。
【００４９】
上述のように形成される線状装飾６０は、衣服や服飾雑貨等を構成するための縫合前の布５０に施すことができ、また、衣服や服飾雑貨等の製品の形状を為したものを構成する布５０に施すこともできる。
従って、後者の場合、図２に示すように、袖１２と身頃１１とにわたって途切れることなく線状装飾６０が連続して形成される。よって、表裏の身頃１１・１１の縫合部や、袖１２と身頃１１との縫合部で、装飾を合わせる必要が無く、装飾形成が簡易となるとともに、自由な形状に装飾を形成することができる。
【００５０】
また、図１０に示すように、布５０に帯状布７０を、直線縫いによるステッチ７１にて縫いつけたのち、該帯状布７０の上に線状装飾６０を形成するというように、上述の線状装飾６０をアレンジして、更に素材や色の変化を有する装飾とすることもできる。
【図面の簡単な説明】
【００５１】
【図１】本発明に係る装飾を施したシャツを示す図。
【図２】シャツの袖の付け根部分の拡大図。
【図３】布に形成した本発明に係る装飾を示す平面図。
【図４】布に形成した本発明に係る装飾を示す斜視図。
【図５】本発明に係る装飾を布に形成するためのミシンの一例を示す正面図。
【図６】ミシンの斜視図。
【図７】別形態のミシンの斜視図。
【図８】ミシンの縫い位置近傍の側面図。
【図９】ミシンの縫い位置近傍の平面図。
【図１０】布に形成した本発明に係る装飾の別形態を示す図。
【符号の説明】
【００５２】
１０  シャツ
１１  身頃
１２  袖
５０  布
５２  針
５３  ガイド部材
５４  毛糸
５５  糸
５６  ミシン
５７  箱体
６０  線状装飾
７０  帯状布
【図１】
2006274471.tif 000003
【図３】
2006274471.tif 000004
【図４】
2006274471.tif 000005
【図５】
2006274471.tif 000006
【図６】
2006274471.tif 000007
【図７】
2006274471.tif 000008
【図９】
2006274471.tif 000009
【図１０】
2006274471.tif 000010
【図２】
2006274471.tif 000011
【図８】
2006274471.tif 000012